(57)【要約】      （修正有）【課題】物干し竿などにハンガー感覚で架けてゴミやモノを収納する装置を提供する。【解決手段】物干し竿や壁、棚、取っ手などに、設置し収納できる装置を備えた主棒１とフリーの状態の棒状２を、リンク部３、軸ピン部４や固定ビス部４’で平行に一体化して繋ぎ、主棒１と棒状２の最両端をクリップ状５、５’にし、ゴミやモノを収納する袋や入れ物の袋投入口の本体の中央部を本体の袋簡易固定部７の袋簡易固定部ゲンコ部１２、バネ部１２’で仮止めし、リンク部３より内側の主棒１と棒状２を摘まみ、各クリップ状５、５’を開き、袋や入れ物の袋投入口の両クリップ状に挟む箇所を主棒１の上部に被せ巻き込むようにしながらクリップ状５、５’の間に入れ、摘まみを離してクリップ状５、５’を閉じ本体と袋や入れ物を接続し、袋簡易固定部７に接続している投入口維持トラス部１３と袋投入口取付け部１４の袋簡易固定部ゲンコ部１２、バネ部１２’で仮止めし袋投入口を広げ維持する。【選択図】図１
0003226379.tif 000002
【実用新案登録請求の範囲】
【請求項１】
二本の棒状を、隙間を開け平行に並べて、棒状の各両端より内側の距離に軸ピン部と固定ビス部により二枚のリンク部で挟み接続し二本の棒状と一体化させ、リンク部より棒状中央部分の上面と下面を摘まんで棒状を曲げると軸ピン部、固定ビス部を軸として棒状の各両端がクリップ状に開きモノを挟めるようになり、離すと棒状の戻りで閉じるようにし、その棒状の片方にフック状や袋簡易固定部と投入口維持トラス部、磁石部、取っ手さし込み部などを備えた部分を接続し主棒とし、もう一方の棒状は、フリーにして、上側になる主棒か棒状を上棒として、この上棒の両端まで吊るす以上の幅の長さの袋や入れ物の袋投入口部の部分の中央部を袋簡易固定部で仮止めし、袋や入れ物の左右の袋投入口部の両クリップ状に挟む部分を上棒の上面を覆うように巻いて両端クリップ状で挟み接続し、主棒のフック状や磁石部、取っ手さし込み部などを使い物干し竿や壁、棚，取っ手などに取付けて、袋や入れ物の自重や投入物の重みを上棒にかけフック状の挟む力を増幅させ、袋や入れ物をしっかり保持し投入口維持トラス部で袋や入れ物の口を維持しゴミやモノの収納がハンガー感覚で使用できる装置。
【考案の詳細な説明】
【技術分野】
【０００１】  本考案は、装置に大型の袋や入れ物を簡易的に取付け、物干し竿や壁、棚、取っ手などにハンガー感覚に架けてゴミやモノを収納する入れ物として使用する装置である。
【背景技術】
【０００２】  今まで、大きな袋や入れ物をゴミやモノの収集に使用する時、床や廊下などに置かれる大型の箱や袋保持アングルに袋や入れ物をその中に入れ、袋や入れ物の形の確保やモノを収集する投入口箇所の確保を箱やアングルの形に合わせて取付け使用し、また手で袋や入れ物の投入部の一部を掴み持ち運びゴミやモノの収集をしていた。
【先行技術文献】
【特許文献】
【０００３】
【文献１】
特開２００２−１６７００４
【文献２】
実開平０７−０１２３０４
【考案の概要】
【考案が解決しようとする課題】
【０００４】  ゴミやモノなどの収集に使用する袋や入れ物の形や投入箇所保持部を維持させる為に、箱やアングルなどが必要であり、設置場所の確保や取扱いの悪さや価格など、また重くなった袋や入れ物を手で摘まんで持ち運びにくさなどにも課題があった。
【課題を解決するための手段】
【０００５】  本考案は、二本の棒状、リンク部、躯体取付け部などで構成され、袋や入れ物をハンガー感覚で取付けられ、フック状、袋簡易固定部と投入口維持トラス部、磁石部、取っ手さし込み部を主棒に設けている為に簡易的に物干し竿や壁、棚、取っ手などに取り付け取り外しができ、大袋や大型の入れ物の自重やゴミや物の収集の重みを上側になる主棒か棒状のクリップ状にかける事で、装置からのズレや剥離を防止しでき、箱やアングルの形態と容量を確保しなければならないスペース等の問題や取扱い、価格や持ち運びなどの課題を解決する事ができた。
【考案の効果】
【０００６】  上記の様に、装置をハンガー感覚で設置や収納でき、使用時、大きな袋や入れ物を同様な感覚で取付ける事ができ、自由に持ち運べ、また、フック状、袋簡易固定部、磁石部などを使用し簡易的に物干し竿などの空間、壁、棚、取っ手などあらゆる場所に設置できるようになりゴミやモノを収納できるようになった。
【図面の簡単な説明】
【０００７】
【図１】本考案の大袋保持装置の一実施例の正面図である。
【図２】袋簡易固定部７にあるリングスナップボタン状のゲンコ部１２とバネ部１２’で袋投入口の中央部を仮止めの図である。
【図３】主棒上面５と棒状下面５’を摘まみクリップ状５，５’を開く動作の説明の図である。
【図４】袋１５の両取付け部を主謀１の上方から巻き込んでＣクリップ状５，５‘で保持し袋投入口維持トラス部１３の袋取付け部１４で袋の投入口を広げ使用状態にした図である。
【考案を実施するための形態】
ハンガー感覚で物干し竿や壁、棚、取っ手などに、設置、収納できる本体を、ゴミやモノを収納する袋、入れ物の袋投入口部の本体に吊るす幅の中央部を袋簡易固定部７と投入口維持トラス部の袋簡易固定部ゲンコ部１２と袋簡易固定部バネ部で仮止めし、本体の主棒１上面と棒状２下面の中程を摘まみクリップ状５，５’を開き左右の大袋や入れ物の袋投入口部を上から被せ巻き込むようにクリップ状５，５’の間に入れ、摘まみを離してクリップ状５，５’を閉じ本体と袋、入れ物を接続し物の収納をしやすいように投入口維持トラス部１３の袋投入口取付け部１４の袋簡易固定部７と投入口維持トラス部の袋簡易固定部ゲンコ部１２と袋簡易固定部バネ部１２’と同様に袋や入れ物の投入口を広げ仮止めし、袋や入れ物の取外し時、本体を逆さまにして主棒と棒状を摘まみクリップ状を開き滑らせて取外す事もできる。
【実施例】
【０００８】  本発明を一実施例として示す図面に従って説明すると、図１において本体の全体の正面図を表し主棒１と棒状２は、リンク部３と軸ピン部４と固定ビス部４’で隙間を開け繋げられ、図３のように指で摘まみＡ、リンク部３の軸ピン部４と固定ビス部４’を基として主棒１と棒状２を曲げ、スベリ止め部１６を備えたクリップ状５，５’を開かせＢ、離すと閉じる事ができ、主棒１にフック状６、袋簡易固定部７、磁石部８、ハンドル取っ手用さし込み部１０、つまみ取っ手用さし込み部１１などで物干し竿や壁、棚、取っ手などに、設置、収納できる部分と主棒１と接続ビス９で一体化し接続され、棒状２は、フリーにし、図２において本体の幅の長さとおよそ同じ長さに取付けられる袋投入口部中央部分を袋簡易固定部７の袋簡易固定部ゲンコ部１２、バネ部１２’を使用し仮止めして図３のようにクリップ状を開き、図４のように、主棒１上部を覆いながら開いた両方のクリップ状５，５’に挿入後摘まみを解きクリップ状５，５’を閉じ取付け、袋簡易固定部７に接続している投入口維持トラス部１３と袋投入口取付け部１４の袋簡易固定部ゲンコ部１２、バネ部１２’を使用し仮止めして袋投入口を保持しゴミやモノを収納、取外し時は、クリップ状５，５’を開き取外し終了する
【符号の説明】
【０００９】１    主棒
２    棒状
３    リンク部
４    軸ピン部
４’  固定ビス部
５    主棒クリップ状
５’  棒状クリップ状
６    フック状
７    袋簡易固定部
８    磁石部
９    主棒と接続ビス
１０  ハンドル取っ手用さし込み部
１１  つまみ取っ手用さし込み部
１２  袋簡易固定部ゲンコ部
１２’袋簡易固定部バネ部
１３  投入口維持トラス部
１４  投入口取付け部
１５  袋
１６  スベリ止め部
Ａ    摘まんで軸ピン部４や固定ビス部４’によりに主棒１と棒状２を曲げる状態。
Ｂ    各クリップ状５，５’が開いた状態。
Ｃ    袋投入口を主棒１の上面から左右のクリップ状５，５’に巻き込んで取付けた状態。
【図１】
0003226379.tif 000003
【図２】
0003226379.tif 000004
【図３】
0003226379.tif 000005
【図４】
0003226379.tif 000006
【手続補正書】
【提出日】令和2年3月3日(2020.3.3)
【手続補正１】
【補正対象書類名】実用新案登録請求の範囲
【補正対象項目名】全文
【補正方法】変更
【補正の内容】
【実用新案登録請求の範囲】
【請求項１】
二本の棒状を、隙間を開け平行に並べて、棒状の各両端より内側の距離に軸ピン部と固定ビス部により二枚のリンク部で挟み接続し二本の棒状と一体化させ、リンク部より棒状中央部分の上面と下面を摘まんで棒状を曲げると軸ピン部、固定ビス部を軸として棒状の各両端がクリップ状に開きモノを挟めるようになり、離すと棒状の戻りで閉じるようにし、その棒状の片方にフック状や袋簡易固定部と投入口維持トラス部、磁石部、取っ手さし込み部を備えた部分を接続し主棒とし、もう一方の棒状は、フリーにして、上側になる主棒か棒状を上棒として、この上棒の両端まで吊るす以上の幅の長さの袋や入れ物の袋投入口部の部分の中央部を袋簡易固定部で仮止めし、袋や入れ物の左右の袋投入口部の両クリップ状に挟む部分を上棒の上面を覆うように巻いて両端クリップ状で挟み接続し、主棒のフック状や磁石部、取っ手さし込み部を使い物干し竿や壁、棚，取っ手の様な取付け可能な箇所に取付けて、袋や入れ物の自重や投入物の重みを上棒にかけフック状の挟む力を増幅させ、袋や入れ物をしっかり保持し投入口維持トラス部で袋や入れ物の口を維持しゴミやモノの収納がハンガー感覚で使用できる装置。